(57)【要約】【課題】簡単な操作で長さを調節して身体にフィットさせることができ、着用感が良好で運動しやすいズボンを提供する。【解決手段】下半身を覆うズボン本体１２と、ズボン本体１２の上端部を着用者のウエストに係止するウエスト部１４を有する。ウエスト部１４は、裏生地２０と表生地２６が重ねられて、長手方向に挿通空間２２を有する。挿通空間２２の内側面に、調整用ベルト４４の一端部が固定されている。表生地２６は、調整用ベルト４４の挿通方向に所定の位置に、調整用ベルト４４の自由端４４ａが通過して表生地２６の外側面に引き出されるスリット３０を備える。表生地２６の外側面に、スリット３０を挟んで、調整用ベルト４４の固定位置とは反対側に設けられ調整用ベルト４４が挿通して折り返される環部材４２と、環部材４２に挿通されて折り返された調整用ベルト４４の自由端４４ａを任意の位置に係止する係止手段２８を備える。【選択図】図１
2018044266.tif 000002
【特許請求の範囲】
【請求項１】
下半身を覆うズボン本体と、前記ズボン本体の上端部を着用者のウエストに係止するウエスト部が設けられ、前記ウエスト部には、裏生地と表生地が重ねられて長手方向に挿通空間を形成して設けられ、前記裏生地の前記挿通空間の内側面には調整用ベルトが一端部を固定して設けられ、前記表生地には、前記調整用ベルトの固定位置から挿通方向に所定の間隔だけ離れた位置に前記調整用ベルトの自由端が通過して前記表生地の外側面に引き出されるスリットが設けられ、前記表生地の外側面には、前記スリットを挟んで前記調整用ベルトの固定位置とは反対側に設けられ前記調整用ベルトが挿通して折り返される環部材と、前記環部材に挿通されて折り返された前記調整用ベルトの自由端を任意の位置に係止する係止手段が設けられていることを特徴とするズボン。
【請求項２】
前記調整用ベルトは、着用者の両脇に各々設けられ、前記調整用ベルトの固定位置は着用者の前側に位置し、前記環部材は後側に位置し、前記スリットはその間に位置し、前記係止手段は、前記スリットよりも前側に位置している請求項１記載のズボン。
【請求項３】
前記調整用ベルトは、着用者の両脇に各々設けられ、前記調整用ベルトの固定位置は着用者の後側に位置し、前記環部材は前側に位置し、前記スリットはその間に位置し、前記係止手段は、前記スリットよりも後側に位置している請求項１記載のズボン。
【請求項４】
前記環部材は角カンであり、前記角カンは伸縮性を有する部材を介して前記表生地に取り付けられている請求項１記載のズボン。
【請求項５】
前記係止手段は面ファスナであり、前記調整用ベルトの先端付近に前記面ファスナの一方の部材が設けられ、前記表生地の外側面に前記面ファスナの他方の部材が設けられ、前記他方の部材は、ウエスト部に沿って長く設けられている請求項１記載のズボン。
【請求項６】
前記表生地の外側面には隠し布が設けられ、前記スリットと前記環部材を覆い、前記係止手段は露出し、前記隠し布の端部から前記調整用ベルトの自由端が突出し、前記係止手段に係止される請求項１記載のズボン。
【発明の詳細な説明】
【技術分野】
【０００１】
この発明は、スキーズボン等の防寒性を有し、主に屋外等で着用するズボンに関する。
【背景技術】
【０００２】
従来、例えばスキーをする際に着用する防寒ズボンは、下半身を覆うズボン本体と、ズボン本体をウエストに係止するウエスト部が設けられている。ウエスト部には、サイズを調整するアジャストベルトが設けられているものがある。特許文献１に開示されているズボンのウエストサイズのアジャスト構造は、ウエスト部に、後ろベルト布と前ベルト布が離間して設けられ、後ろベルト布と前ベルト布の間に襠が設けられている。前ベルト布及び後ろベルト布のいずれか一方に角環を設けると共に他方に面ファスナを有するアジャストベルトを設けている。特許文献２に開示されているスキー用ズボンも同様に、ウエスト部の両側部に、長さ調節機構を持った比較的幅の広いアジャスターベルトが設けられている。
【先行技術文献】
【特許文献】
【０００３】
【特許文献１】実用新案登録３０４８８６２号公報
【特許文献２】実用新案登録３００７００１号公報
【発明の概要】
【発明が解決しようとする課題】
【０００４】
上記背景技術のいずれの場合も、アジャストベルトを締めるときにアジャストベルトの端部を持って後方引く動作が必要で有り、操作性が悪いものであった。しかも、アジャストベルト全体が見えているため、外観上好ましくないものであった。また、アジャストベルトを締めた時にウエスト部の側方に大きいしわが寄という問題がある。
【０００５】
その他、既存のスキーズボンにおいて、アジャストベルトを前方に引いてウエスト部を締める構造のものもあるが、この構造の場合、前方にアジャストベルトを引くと、前部分のウエスト部が身体から浮いて空間が出来るので、片手で押さえながら操作しなければならない。従って、この構造のアジャストベルトは、片方ずつ締めなければならないものである。
【０００６】
この発明は、上記背景技術の問題点に鑑みてなされたものであり、簡単な操作で長さを調節して身体にフィットさせることができ、着用感が良好で運動しやすいズボンを提供することを目的とする。
【課題を解決するための手段】
【０００７】
本発明は、下半身を覆うズボン本体と、前記ズボン本体の上端部を着用者のウエストに係止するウエスト部が設けられているズボンである、前記ウエスト部には、裏生地と表生地が重ねられて長手方向に挿通空間を形成して設けられ、前記裏生地の前記挿通空間の内側面には調整用ベルトが一端部を固定して設けられ、前記表生地には、前記調整用ベルトの固定位置から挿通方向に所定の間隔だけ離れた位置に前記調整用ベルトの自由端が通過して前記表生地の外側面に引き出されるスリットが設けられている。前記表生地の外側面には、前記スリットを挟んで前記調整用ベルトの固定位置とは反対側に設けられ前記調整用ベルトが挿通して折り返される角カン等の環部材と、前記環部材に挿通されて折り返された前記調整用ベルトの自由端を任意の位置に係止する係止手段が設けられている。
【０００８】
前記調整用ベルトは、着用者の両脇に各々設けられ、前記調整用ベルトの固定位置は着用者の前側に位置し、前記環部材は後側に位置し、前記スリットはその間に位置している。前記係止手段は、前記スリットよりも前側に位置している。
【０００９】
前記係止手段は面ファスナであり、前記調整用ベルトの先端付近に前記面ファスナの一方の部材例えば雄部材が設けられ、前記表生地の外側面に前記面ファスナの他方の部材例えば雌部材が設けられ、前記雌部材は、ウエスト部に沿って長く設けられている。
【００１０】
前記表生地の外側面には隠し布が設けられ、前記スリットと前記環部材を覆い、前記係止手段は露出し、前記隠し布の端部から前記調整用ベルトの自由端が突出し、前記調整用ベルトの自由端を保持して前記係止手段に係止する。
【発明の効果】
【００１１】
本発明のズボンは、操作性が良く、調整用ベルトが隠し布で覆われて外観上も良好な印象を与えるものである。特に、隠し布から突出する調整用ベルトの自由端を前方に引いて係止するという簡単な操作で大きさを調節することができる。調整用ベルトは、基端部は裏生地に固定され、他方の自由端は表生地に取り付けられた環部材に挿通されているため、調整用ベルトを引くと、表生地と調整用ベルトと裏生地が一体化して身体にフィットし、身体にフィットさせた状態でサイズ調整が行われ、着用感も良好で運動しやすいものである。
【図面の簡単な説明】
【００１２】
【図１】この発明の一実施形態のズボンの正面図（ａ）と背面図（ｂ）である。
【図２】この実施形態のウエスト部の横断面概略図（ａ）と正面図（ｂ）である。
【発明を実施するための形態】
【００１３】
以下、この発明の実施形態について図面に基づいて説明する。図１、図２はこの発明の一実施形態を示すもので、この実施形態のズボン１０は、例えばスキーズボン等の防寒用の衣料であり、下半身を覆うズボン本体１２を有し、ズボン本体１２は防水性、防寒性を有する生地で作られている。
【００１４】
ズボン本体１２の上端部１２ａには、着用者のウエストに係止されるウエスト部１４が設けられている。ウエスト部１４は、着用者のウエストを水平方向に巻き回される。ズボン本体１２とウエスト部１４は、着用者の前側中心で破断されて、着脱用の開閉部１８が設けられている。ズボン本体１２の開閉部１８にはスライドファスナ１６が設けられ、開閉可能である。
【００１５】
ウエスト部１４は、身体側の裏生地２０と、裏生地２０を覆う表生地２６が、重ねられて設けられ、裏生地２０と表生地２６の間には、ウエスト部１４に沿って挿通空間２２が形成されている。裏生地２０と表生地２６の長手方向の両端部は、裏生地２０の表側面と表生地２６の表側面とを合わせて縫って裏返して中表に縫い合わされ、開閉部１８の側縁部を形成する。開閉部１８の側縁部近傍には、開閉用のボタン３２が、左右両側に各々設けられている。左右のボタン３２は、互いに着脱可能な雄部材と雌部材である。
【００１６】
表生地２６は、身体の後側の２か所で、長手方向に交差して分割され、分割された部分は縫目３６で各々連結されている。表生地２６の外側面には、縫目３６より前側で身体の両脇付近に、所定の長さの面ファスナ２８の雌部材２８ａが設けられている。雌部材２８ａは、表生地２６よりも細く形成され、表生地２６の幅方向の中心に沿って設けられている。雌部材２８ａは、開閉部１８と縫目３６の間の長さの３分の１程度の長さであり、開閉部１８と縫目３６の中間に、それぞれから離間して設けられている。雌部材２８ａの少し後側の位置に、挿通空間２２に連通するスリット３０が形成されている。スリット３０は、表生地２６の長手方向に対して略直角な直線で形成され、後述する調整用ベルト４４の幅が通過する長さに設けられている。
【００１７】
表生地２６の縫目３６には、表生地２６の外側面に重ねて、伸縮性を有する短い帯ゴム３８が縫い合わされている。帯ゴム３８の先端には、角カン用ベルト４０を介して、矩形環状の角カン４２が取り付けられている。なお、角カン４２の位置は、スリット３０と縫目３６の中間付近に位置している。
【００１８】
裏生地２０は、身体の両脇の２か所で、長手方向に交差して分割され、分割された部分は縫目２４で連結されている。縫目２４は、表生地２６の面ファスナ２８の雌部材２８ａに重なる位置である。縫目２４には、挿通空間２２の内側面に重ねて調整用ベルト４４が設けられている。調整用ベルト４４は、一方の端部は縫目２４に縫い付けられ、他方の自由端４４ａは、挿通空間２２に沿って後側へ向かい、表生地２６のスリット３０を通過して、表生地２６の外側面へ引き出されている。引き出された調整用ベルト４４の自由端４４ａは、さらに表生地２６に沿って後側へ向かい、角カン４２に挿通され、折り返されて表生地２６に沿って前側へ向かい、面ファスナ２８の雌部材２８ａに達する。調整用ベルト４４の自由端４４ａの、面ファスナ２８の雌部材２８ａに重なる面には、面ファスナ２８の雄部材２８ｂが設けられ、雌部材２８ａの長手方向の任意の位置で、着脱自在である。なお、雄部材２８ｂは、調整用ベルト４４の先端近傍に小さい面積で設けられてもよい。
【００１９】
身体の後側中心Ａには、表生地２６を覆う隠し布４６が設けられている。隠し布４６は、表生地２６に沿う帯状であり、隠し布４６の長手方向の端部４６ａは、表生地２６の面ファスナ２８の雌部材２８ａの端部とスリット３０の中間付近に達し、角カン４２とスリット３０等を覆っている。隠し布４６と表生地２６との間には、ウエスト部１４に沿う挿通空間５０が形成されている。挿通空間５０の中には、スリット３０から外側へ引き出された調整用ベルト４４が位置し、調整用ベルト４４は角カン４２で折り返され、自由端４４ａは、隠し布４６の端部４６ａから外側に突出する。また、表生地２６の面ファスナ２８の雌部材２８ａは隠し布４６の端部４６ａから露出しており、隠し布４６の端部４６ａから突出する調整用ベルト４４の自由端４４ａが、面ファスナ２８の雌部材２８ａに接触して着脱可能に設けられている。
【００２０】
ウエスト部１４には、複数個所にベルトループ４８が設けられている。ここでは、前側の両脇と、後側の両脇、後側中心Ａの、５か所に設けられている。なお、裏生地２０や表生地２６、調整用ベルト４４には、裏面に芯地が重ねられて設けられてもよい。
【００２１】
この実施形態のズボン１０の使用方法について説明する。開閉部１８のスライドファスナ１６とボタン３２を開いた状態でズボン本体１２に両足を入れ、ウエスト部１４を腰まで引き上げ、スライドファスナ１６とボタン３２を閉じて着用する。
【００２２】
ウエスト部１４が、着用者の腰回りよりも大きい場合は、両脇の調整用ベルト４４を面ファスナ２８から剥がし、自由端４４ａを前側に引いて移動させる。これにより、調整用ベルト４４が挿通された角カン４２が前側に移動し、調整用ベルト４４の固定位置である縫目２４との距離が短くなり、ウエスト部１４が小さくなる。調整用ベルト４４は、基端部は裏生地２０に縫い付けられて固定され、他方の自由端４４ａは表生地２６に取り付けられた角カン４２に挿通されているため、調整用ベルト４４を前側に引くと、裏生地２０に後側に引く力が働くため、前側のウエスト部１４を押さえる必要がなく、片手で簡単に裏生地２０と表生地２６を寄せて、長さを調整する。
【００２３】
調整用ベルト４４は、裏生地２０と表生地２６で形成された挿通空間２２に挿通されているため、調整用ベルト４４の自由端４４ａが前側に移動して調整用ベルト４４の挿通部分が短くなると、表生地２６と裏生地２０には適宜小さいしわが互いに均等に寄せられる。調整用ベルト４４の基端部は裏生地２０に固定され、反対側は表生地２６の角カン４２に挿通されているため、裏生地２０と表生地２６に、互いに近づく方向に力が働き、裏生地２０と調整用ベルト４４と表生地２６が一体化する。これにより自由端４４ａを引いた時に、ウエスト部１４全体が腰回りにフィットするような感覚が生じる。そして着用者の腰回りにフィットした状態で、調整用ベルト４４の自由端４４ａを面ファスナ２８の雌部材２８ａに接触させ、自由端４４ａの雄部材２８ｂと雌部材２８ａを係止することができる。
【００２４】
ウエスト部１４を大きくするときは、逆に、調整用ベルト４４の自由端４４ａを後側に移動させる。
【００２５】
この実施形態のズボン１０によれば、調整用ベルト４４の自由端４４ａを前側に引いて係止するという簡単な操作で、ウエスト部１４の大きさを調整することができる。調整用ベルト４４の自由端４４ａを前側に引いた時、調整用ベルト４４が挿通された角カン４２が前側に移動し、調整用ベルト４４の固定位置との距離が短くなり、ウエスト部１４を小さくすることができ、操作性がよい。調整用ベルト４４は、基端部は裏生地２０に縫い付けられて固定され、他方の自由端４４ａは表生地２６に取り付けられた角カン４２に挿通されているため、調整用ベルト４４を前側に引くと、裏生地２０に、後側に引く力が働くため、前側を抑える必要がなく、片手で簡単に裏生地２０と表生地２６を寄せて、長さを調整することができる。
【００２６】
また、調整用ベルト４４を引くと、裏生地２０と調整用ベルト４４と表生地２６が一体化し、ウエスト部１４の厚み全体で引き寄せ、ウエスト部１４全体が腰回りにフィットするような感覚を得ることができる。ウエスト部１４が腰回りにフィットさせた状態でサイズを調整するので、着用感が良好となり、運動しやすいものである。
【００２７】
角カン４２は帯ゴム３８で表生地２６に連結されているため、ウエスト部１４を調整した後も、伸縮性を有するため、苦しくなく、また激しい運動をしても身体にフィットする。角カン４２は脇よりも少し背中側に配置しているため、厚みや固さを感じないものである。調整用ベルト４４は角カン４２に挿通して折り返されるため、調整用ベルト４４の滑りが良く、小さい力でサイズの調節をすることができる。
【００２８】
その他、デザインは、調整用ベルト４４が隠し布４６で覆われているため、外観上の印象が良好であり、角カン４２も隠し布４６に覆われていてすっきりしたものとなる。
【００２９】
なお、この発明のズボンは、上記実施の形態に限定されるものではなく、防寒用のズボン以外に、日常の生活で着用するズボンや、作業ズボン、子供用のズボン等何にでも利用することができる。ウエスト部の開閉部の位置や、開閉するボタンやスライドファスナ等は適宜変更可能である。調整用ベルトや短い帯ゴムは、表生地や裏生地の分断された端部を連結する縫目に縫い付けられているが、縫目ではないところに取り付けられてもよく、表生地や裏生地は分断されていないものでもよい。また、この調整用ベルトによりサイズを調整する構造は、ズボンのウエスト部以外に裾に設けてもよく、またその他の物品に設けてもよく、例えば手袋の手首やジャケットの袖口等に設けてもよい。
【符号の説明】
【００３０】
１０  ズボン
１２  ズボン本体
１４  ウエスト部
２０  裏生地
２２  挿通空間
２６  表生地
２８  面ファスナ
２８ａ  雌部材
２８ｂ  雄部材
３０  スリット
４２  角カン
４４  調整用ベルト
４４ａ  自由端
４６  隠し布
４６ａ  端部
【図１】
2018044266.tif 000003
【図２】
2018044266.tif 000004